(57)【要約】【課題】非接触型ＩＣカードの近傍に配置された導電体によるカップリング特性の低下を、磁性体を貼り付ける方法以外の方法により抑制する。【解決手段】近接型アンテナは、外部通信機器と磁気結合による無線通信を行うアンテナ部１３と、アンテナ部１３と絶縁した状態で該アンテナ部１３の近傍に設置された導電板１４ａとを備え、導電板１４ａは、開口部ＯＰと、該開口部ＯＰから導電板１４ａの端部に至るスリットＳＬとを有し、アンテナ部１３は、開口部ＯＰとは平面的に見て重ならず、スリットＳＬの少なくとも一部と平面的に見て重なる位置に配置される。【選択図】図３
2011249936.tif 000002
【特許請求の範囲】
【請求項１】
外部通信機器と磁気結合による無線通信を行うアンテナパターンと、
前記アンテナパターンと絶縁した状態で該アンテナパターンの近傍に設置された導電板とを備え、
前記導電板は、開口部と、該開口部から前記導電板の端部に至るスリットとを有し、
前記アンテナパターンは、前記開口部とは平面的に見て重ならず、前記スリットの少なくとも一部と平面的に見て重なる位置に配置されることを特徴とする近接型アンテナ。
【請求項２】
外部通信機器と磁気結合による無線通信を行うアンテナパターンと、
前記アンテナパターンと絶縁した状態で該アンテナパターンの近傍に設置された導電板とを備え、
前記導電板の端部には、一定幅の若しくは内側に向かって細くなるスリットが設けられ、
前記アンテナパターンは、前記スリットの少なくとも一部と平面的に見て重なる位置に配置されることを特徴とする近接型アンテナ。
【請求項３】
前記導電板は、前記アンテナパターンと前記外部通信機器の間に配置され、
前記アンテナパターンを挟んで前記導電板の反対側に配置された磁性部材をさらに有する
ことを特徴とする請求項１又は２に記載の近接型アンテナ。
【請求項４】
前記導電板は、前記アンテナパターンを挟んで前記外部通信機器の反対側に配置され、
前記導電板を挟んで前記アンテナパターンの反対側に配置された磁性部材をさらに有する
ことを特徴とする請求項１又は２に記載の近接型アンテナ。
【請求項５】
前記スリットのうち平面的に見て前記アンテナパターンと重複する部分の面積が、前記アンテナパターンの外形面積の３５％以上１１０％以下である
ことを特徴とする請求項１乃至４のいずれか一項に記載の近接型アンテナ。
【請求項６】
前記スリットの幅が、前記アンテナパターンの内周の前記スリット幅方向の長さ以上であり、かつ前記アンテナパターンの外周の前記スリット幅方向の長さ以下である
ことを特徴とする請求項１乃至５のいずれか一項に記載の近接型アンテナ。
【請求項７】
前記導電板の端辺のうち少なくとも前記スリットが設けられる部分は、前記外部通信機器から離れる方向に曲がっている
ことを特徴とする請求項１乃至６のいずれか一項に記載の近接型アンテナ。
【請求項８】
前記導電板は、常磁性又は反磁性で、かつ導電率が１×１０７Ｓ／ｍ以上である材料により構成される
ことを特徴とする請求項１乃至７のいずれか一項に記載の近接型アンテナ。
【請求項９】
前記近接型アンテナは、無線通信機器に搭載される非接触型ＩＣカードの一部を構成し、
前記導電板は、前記無線通信機器の筐体である
ことを特徴とする請求項１乃至８のいずれか一項に記載の近接型アンテナ。
【請求項１０】
前記近接型アンテナは、無線通信機器に搭載される非接触型ＩＣカードの一部を構成し、
前記無線通信機器は、通信用回路及びグランド層を含む回路基板を有し、
前記導電板は、前記グランド層である
ことを特徴とする請求項１乃至８のいずれか一項に記載の近接型アンテナ。
【請求項１１】
請求項１乃至１０のいずれか一項に記載の近接型アンテナを備えることを特徴とする無線通信機器。
【発明の詳細な説明】
【技術分野】
【０００１】
本発明は、近接型アンテナ及び無線通信機器に関し、特に非接触型ＩＣカード用の近接型アンテナ及び非接触型ＩＣカードを搭載する無線通信機器に関する。
【背景技術】
【０００２】
ＭＩＦＡＲＥ（登録商標）やＦｅｌｉｃａ（登録商標）など、非接触型ＩＣカードと呼ばれるタイプの通信機器の利用が拡大している。非接触型ＩＣカードは、リーダ／ライタと呼ばれる外部通信機器との間で近距離通信を行う機能を有しており、具体的には、近接型アンテナ（カップリングコイル）とメモリ付きのＩＣチップとから構成される。非接触型ＩＣカードは、近接型アンテナを介する磁気結合により、外部通信機器との間でメモリ内のデータを送受信する。従来は独立してひとつの通信機器を構成するカードタイプのものが主流であったが、近年は携帯電話など別の用途を有する機器に併合搭載されるケースも増えている。
【０００３】
併合搭載されるケースでは、非接触型ＩＣカードを構成する部品とそうでない部品とが隣接して配置されることになる。非接触型ＩＣカードの近傍に導電体が配置されることもあり、そのような場合、導電体に発生する渦電流によって磁界が弱められ、非接触型ＩＣカードと外部通信機器の間のカップリング特性が低下してしまうことがある。一例を挙げると、携帯電話の筐体には金属が使われる場合があり、そのような携帯電話に非接触型ＩＣカード機能を搭載すると、筐体に発生する渦電流によって磁界が弱められ、カップリング特性が低下する。
【０００４】
特許文献１は、リーダ／ライタの近傍ではあるが上記と同様に導電体が存在する場合に、この導電体によるカップリング特性の低下を抑制する技術を開示している。この技術では、リーダ／ライタの導電体側の表面に磁性体を貼り付けている。これにより導電体に到達する磁界が減少し、したがってカップリング特性の低下が抑制される。
【先行技術文献】
【特許文献】
【０００５】
【特許文献１】特開２００２−２９８０９５号公報
【発明の開示】
【発明が解決しようとする課題】
【０００６】
しかしながら、磁性体によるカップリング特性低下の抑制効果はあまり芳しいものではなく、より効果的にカップリング特性低下を抑制できる技術が求められている。また、特に非接触型ＩＣカードは、リーダ／ライタとは異なり小型化が求められるので、磁性体のような付加部材を用いることはあまり好ましくない。
【０００７】
したがって、本発明の目的の一つは、非接触型ＩＣカードの近傍に配置された導電体によるカップリング特性の低下を、磁性体を貼り付ける方法以外の方法により抑制できる近接型アンテナ及び無線通信機器を提供することにある。
【課題を解決するための手段】
【０００８】
上記目的を達成するための本発明による近接型アンテナは、外部通信機器と磁気結合による無線通信を行うアンテナパターンと、前記アンテナパターンと絶縁した状態で該アンテナパターンの近傍に設置された導電板とを備え、前記導電板は、開口部と、該開口部から前記導電板の端部に至るスリットとを有し、前記アンテナパターンは、前記開口部とは平面的に見て重ならず、前記スリットの少なくとも一部と平面的に見て重なる位置に配置されることを特徴とする。
【０００９】
また、本発明の他の一側面による近接型アンテナは、外部通信機器と磁気結合による無線通信を行うアンテナパターンと、前記アンテナパターンと絶縁した状態で該アンテナパターンの近傍に設置された導電板とを備え、前記導電板の端部には、一定幅の若しくは内側に向かって細くなるスリットが設けられ、前記アンテナパターンは、前記スリットの少なくとも一部と平面的に見て重なる位置に配置されることを特徴とする。
【００１０】
本発明によれば、スリット又は開口部の周りに、近接型アンテナと外部通信機器との間に生ずる磁界を強める方向の磁界を発生する渦電流が流れるようになる。したがって、アンテナパターンの近傍に配置された導電板によるカップリング特性の低下を抑制できる。
【００１１】
上記各近接型アンテナにおいて、前記導電板は、前記アンテナパターンと前記外部通信機器の間に配置され、前記アンテナパターンを挟んで前記導電板の反対側に配置された磁性部材をさらに有することとしてもよいし、前記導電板は、前記アンテナパターンを挟んで前記外部通信機器の反対側に配置され、前記導電板を挟んで前記アンテナパターンの反対側に配置された磁性部材をさらに有することとしてもよい。こうすれば、磁性部材を用いない場合に比べ、カップリング特性が改善される。
【００１２】
また、上記各近接型アンテナにおいて、前記スリットのうち平面的に見て前記アンテナパターンと重複する部分の面積が、前記アンテナパターンの外形面積の３０％以上１１０％以下であることとしてもよい。これによれば、良好なカップリング特性を得ることが可能になる。
【００１３】
また、上記各近接型アンテナにおいて、前記スリットの幅が、前記アンテナパターンの内周の前記スリット幅方向の長さ以上であり、かつ前記アンテナパターンの外周の前記スリット幅方向の長さ以下であることとしてもよい。これによっても、良好なカップリング特性を得ることが可能になる。
【００１４】
また、上記各近接型アンテナにおいて、前記導電板の端辺のうち少なくとも前記スリットが設けられる部分は、前記外部通信機器から離れる方向に曲がっていることとしてもよい。これによれば、近接型アンテナが外部通信機器に対して傾いている場合にも、良好なカップリング特性を得ることが可能になる。
【００１５】
また、上記各近接型アンテナにおいて、前記導電板は、常磁性又は反磁性で、かつ導電率が１×１０７Ｓ／ｍ以上である材料により構成されることとしてもよい。これによれば、良好なカップリング特性を得ることが可能になる。
【００１６】
また、上記各近接型アンテナにおいて、前記近接型アンテナは、無線通信機器に搭載される非接触型ＩＣカードの一部を構成し、前記導電板は、前記無線通信機器の筐体であることとしてもよい。これによれば、無線通信機器の筐体が導電体であることによるカップリング特性の低下を抑制できる。
【００１７】
また、上記各近接型アンテナにおいて、前記近接型アンテナは、無線通信機器に搭載される非接触型ＩＣカードの一部を構成し、前記無線通信機器は、通信用回路及びグランド層を含む回路基板を有し、前記導電板は、前記グランド層であることとしてもよい。これによれば、無線通信機器の回路基板にグランド層が含まれることによるカップリング特性の低下を抑制できる。
【００１８】
また、本発明による無線通信機器は、上記各近接型アンテナのいずれかを備えることを特徴とする。
【発明の効果】
【００１９】
本発明によれば、アンテナパターンの近傍に配置された導電板によるカップリング特性の低下を、磁性体を貼り付ける方法以外の方法により抑制できる。
【図面の簡単な説明】
【００２０】
【図１】本発明の第１の実施の形態による近距離通信システムのシステム構成を示す図である。
【図２】本発明の第１の実施の形態によるアンテナ部の平面図である。
【図３】（ａ）は、本発明の第１の実施の形態による携帯電話の斜視図である。（ｂ）は、（ａ）のＡ−Ａ'線断面図である。
【図４】図３（ａ）を開口部及びスリットの付近で拡大した拡大図である。
【図５】（ａ）は、本発明の第１の実施の形態による近接型アンテナを構成するスパイラルコイルと、本発明の第１の実施の形態による導電板とを示す図である。（ｂ）は、開口部及びスリットを有しない導電板を用いた場合の例を示す図である。
【図６】（ａ）（ｂ）は、本発明の第１の実施の形態による近接型アンテナ及び導電板付近の磁界をシミュレーションした結果を示す図である。
【図７】（ａ）〜（ｈ）は、本発明の第１の実施の形態によるスリットの幅の最適値を示すためのシミュレーションに用いた導電板及びアンテナパターンを示す図である。
【図８】本発明の第１の実施の形態によるスリットの幅の最適値を示すためのシミュレーションの結果を示す図である。
【図９】（ａ）は、本発明の第２の実施の形態による近距離通信システムで用いる携帯電話の斜視図である。（ｂ）は、（ａ）のＤ−Ｄ'線断面図である。
【図１０】カップリング特性の指向性の拡大効果を示すためのシミュレーションで用いる角度について説明するための説明図である。
【図１１】（ａ）は、本発明の第２の実施の形態による近距離通信システムのシステム構成を模式的に示す図である。（ｂ）は、本発明の第２の実施の形態の変形例による近距離通信システムのシステム構成を模式的に示す図である。
【図１２】（ａ）（ｂ）ともに、本発明の第３の実施の形態の変形例による近距離通信システムのシステム構成を模式的に示す図である。
【図１３】（ａ）は、本発明の第１の実施の形態で示した携帯電話の第１の変形例を示す斜視図である。（ｂ）は、（ａ）のＥ−Ｅ'線断面図である。
【図１４】（ａ）は、本発明の第１の実施の形態で示した携帯電話の第２の変形例を示す斜視図である。（ｂ）は、（ａ）のＦ−Ｆ'線断面図である。
【発明を実施するための形態】
【００２１】
以下、添付図面を参照しながら、本発明の好ましい実施の形態について詳細に説明する。
【００２２】
図１は、本発明の第１の実施の形態による近距離通信システム１のシステム構成を示す図である。同図に示すように、近距離通信システム１は、近接型アンテナ１１、ＩＣチップ１２、及び本体部１５を有する携帯電話１０ａ（無線通信装置）と、近接型アンテナ２１及びＣＰＵ２２を有するリーダ／ライタ２０（外部通信装置）とから構成される。携帯電話１０ａに搭載される近接型アンテナ１１及びＩＣチップ１２は、非接触型ＩＣカードの構成要素である。
【００２３】
近距離通信システム１は、例えばＭＩＦＡＲＥ（登録商標）やＦｅｌｉｃａ（登録商標）などであり、リーダ／ライタ２０を使ってＩＣチップ１２内のメモリ（不図示）に記憶されるデータの読み書きを行うシステムである。
【００２４】
非接触型ＩＣカードとしての携帯電話１０ａとリーダ／ライタ２０の間の通信は、磁気結合による近距離通信によって実現される。具体的に説明すると、リーダ／ライタ２０は近接型アンテナ２１に常時電流を流しており、この電流によって近接型アンテナ２１の周囲に磁界が発生している。近接型アンテナ１１がこの磁界の中に入ると、磁気結合によって近接型アンテナ１１に起電力が発生し、この起電力を電源としてＩＣチップ１２が起動される。読み出し時には、ＩＣチップ１２は、内部のメモリ（不図示）に記憶しているデータに応じた電流を生成し、近接型アンテナ１１に流す。これにより磁界が変化し、近接型アンテナ２１に流れる電流も変化する。ＣＰＵ２２は、この電流の変化から、ＩＣチップ１２内に記憶されているデータを読み取る。書き込み時には、ＣＰＵ２２は、書き込みデータに基づいて近接型アンテナ２１に流す電流を変化させる。これにより磁界が変化し、近接型アンテナ１１に流れる電流も変化する。ＩＣチップ１２は、この電流の変化から書き込みデータを検出し、内部のメモリに書き込む。
【００２５】
携帯電話１０ａは、移動通信システムを構成する移動局装置としても機能する。移動局装置としての機能は、主として本体部１５によって実現される。本体部１５は、図示しない基地局との間で通信を行う機能や、音声入出力機能、画像入出力機能などを有する。
【００２６】
図１に示すように、近接型アンテナ１１は、アンテナ部１３と導電板１４ａとを含んで構成される。
【００２７】
図２は、アンテナ部１３の平面図である。同図に示すように、アンテナ部１３は、基板３０と、基板３０の表面に形成されたアンテナパターン３１とから構成される。図２には、アンテナパターン３１として３ターンの矩形平面スパイラルコイルを用いる例を図示しているが、アンテナパターン３１の構成はこれに限られるものではない。アンテナパターン３１の両端部３１ａ，３１ｂは、図１に示したＩＣチップ１２と接続される（不図示）。
【００２８】
アンテナパターン３１に関し、本発明では外形面積ＳＯＵＴＥＲ、内径面積ＳＩＮＮＥＲという用語を用いる場合がある。外形面積ＳＯＵＴＥＲは、アンテナパターン３１の外周によって囲まれた領域の面積、内形面積ＳＩＮＮＥＲは、アンテナパターン３１の内周によって囲まれた領域の面積をそれぞれ意味する。例えば図２の例では、外周の横方向長さと縦方向長さがそれぞれＬＯＸ及びＬＯＹであり、したがって外形面積ＳＯＵＴＥＲ＝ＬＯＸ×ＬＯＹとなる。また、内周の横方向長さと縦方向長さがそれぞれＬＩＸ及びＬＩＹであり、したがって内形面積ＳＩＮＮＥＲ＝ＬＩＸ×ＬＩＹとなる。
【００２９】
図１に戻る。導電板１４ａは、携帯電話１０ａの筐体１４の一部によって構成される導電性の板であり、アンテナ部１３と並行に設置される。導電板１４ａとアンテナ部１３とは互いに絶縁されている。リーダ／ライタ２０は、導電板１４ａに対向して配置される。
【００３０】
なお、図１では、アンテナ部１３が筐体１４の内部にあり、したがって導電板１４ａがアンテナ部１３と近接型アンテナ２１の間に配置されるように描いているが、アンテナ部１３を筐体１４の外部に配置し、アンテナ部１３が導電板１４ａと近接型アンテナ２１の間にあるように構成しても構わない。また、ここでは導電板１４ａが筐体１４の一部であるとしているが、携帯電話１０ａのマザーボード（後述）に形成されるグランド層（不図示）を導電板１４ａとして使用してもよいし、携帯電話１０ａの携帯電話としての構成要素を利用するのではなく、非接触型ＩＣカードとしての機能専用に導電板を設け、導電板１４ａとして用いることとしてもよい。
【００３１】
図３（ａ）は、携帯電話１０ａの斜視図である。また、図３（ｂ）は、図３（ａ）のＡ−Ａ'線断面図である。また、図４は、図３（ａ）を、後述するスリットＳＬ及び開口部ＯＰ付近で拡大した拡大図である。なお、図３（ａ）は断面図ではないが、分かりやすくするために導電板１４ａに図３（ｂ）の断面図と同様のハッチングを施している。これは、後掲の各図でも同様である。
【００３２】
図３（ａ）（ｂ）に示すように、携帯電話１０ａの筐体１４は略直方体であり、その６表面のうちの１つにはＬＣＤ５０及びキーパッド５１が設けられている。携帯電話１０ａの内部には、アンテナ部１３及びＩＣチップ１２（図３では図示していない。）の他、多層基板５２、電池５３、カメラ５４が設けられる。多層基板５２は携帯電話１０ａのマザーボードを構成しており、その表面及び内部には、通信用回路及びグランド層を含む各種の電子回路が形成される。カメラ５４のレンズは筐体１４の背面に露出している。アンテナ部１３及びＩＣチップ１２以外の各部は、図１に示した本体部１５に相当する。
【００３３】
筐体１４は導電性の金属によって構成されており、導電板１４ａは筐体１４の背面（６表面のうちＬＣＤ５０及びキーパッド５１が設けられる面の反対面）を利用して形成される。導電板１４ａは、開口部ＯＰと、開口部ＯＰから導電板１４ａの端部に至るスリットＳＬとを有している。
【００３４】
以下では、スリットＳＬの長さ，幅をそれぞれＬＳＬ，ＷＳＬと表し、開口部ＯＰの面積をＳＯＰと表す。また、また、スリットＳＬの延伸方向の導電板１４ａの長さをＬＣＰ、スリットＳＬの延伸方向と直交する方向の導電板１４ａの長さをＬＣＯと表す。なお、スリットＳＬの長さＬＳＬは、図３（ａ）に示すように、開口部ＯＰの中央点から導電板１４ａの端部までの長さとして定義する。
【００３５】
図３に示すように、開口部ＯＰ内にはカメラ５４のレンズが配置される。したがって、開口部ＯＰの形状及び面積ＳＯＰは、開口部ＯＰ内にカメラ５４のレンズを配置できるように設定される。一方、スリットＳＬの幅ＷＳＬは、アンテナパターン３１のサイズとの関係を考慮して最適化される。この点については、後ほど詳しく説明する。
【００３６】
なお、スリットＳＬの内部は、図３（ａ）（ｂ）に示したように何もない空間としてもよいし、絶縁樹脂などの非導電性物質で埋めてもよい。非導電性物質で埋めれば、その分筐体１４の強度を確保できる。また、図３ではカメラ５４のレンズと開口部ＯＰがちょうど同じ大きさであるように描いているが、レンズと導電板１４ａの間に隙間がある場合には、その隙間も絶縁樹脂などの非導電性物質で埋めてよい。
【００３７】
図３（ａ）（ｂ）及び図４にはアンテナ部１３の設置位置も示している。特に図４に示すように、アンテナ部１３は、アンテナパターン３１とスリットＳＬの少なくとも一部とが平面的に見て重なる位置に配置される。
【００３８】
以上の構成により、導電体である導電板１４ａがあっても、非接触型ＩＣカードとしての携帯電話１０ａとリーダ／ライタ２０との間のカップリング特性は低下せず、むしろ導電板１４ａがない場合に比べてカップリング特性が向上する。以下、具体的に説明する。
【００３９】
図５（ａ）は、近接型アンテナ２１を構成するスパイラルコイルと、導電板１４ａとを示す図である。同図に示す矢印付きの線は、導電板１４ａに流れる渦電流を示している。この線によって示されるように、近接型アンテナ２１に近づくと、導電板１４ａに渦電流Ｖ１，Ｖ２が流れる。渦電流Ｖ１は導電板１４ａの縁部に沿って流れる電流であり、渦電流Ｖ２はスリットＳＬの両サイドから開口部ＯＰの周囲にかけて流れる電流である。なお、Ｖ１，Ｖ２は電流値ではなく、電流を識別するための識別符号である。
【００４０】
ここで、比較例として、開口部ＯＰ及びスリットＳＬを有しない導電板１４ａを用いた場合の例を図５（ｂ）に示す。この比較例と図５（ａ）とを比較すると理解されるように、渦電流Ｖ２は、開口部ＯＰ及びスリットＳＬが存在することによって初めて導電板１４ａに流れる電流である。つまり、スリットＳＬがあるため、渦電流Ｖ１は導電板１４ａの縁部を一周することができず、スリットＳＬを迂回することになる。これにより、渦電流Ｖ１とは逆回りの渦電流Ｖ２が発生する。
【００４１】
導電板１４ａに流れる渦電流は近接型アンテナ２１から生ずる磁界によって生成されるものであるため、渦電流Ｖ１は、この磁界を弱める磁界を発生する方向に流れる。これに対し、渦電流Ｖ２は、渦電流Ｖ１とは逆方向に流れることから、近接型アンテナ２１から生ずる磁界を強める方向の磁界を発生する電流となる。したがって、渦電流Ｖ２が流れることでむしろ磁界が強められ、導電板１４ａに開口部ＯＰとスリットＳＬを設けない場合は勿論、導電板１４ａがない場合に比べてもカップリング特性が向上することになる。
【００４２】
図６（ａ）（ｂ）は、近接型アンテナ２１及び導電板１４ａ付近の磁界をシミュレーションした結果を示す図である。図６（ａ）は図５（ａ）のＢ−Ｂ'線断面の磁界を示しており、図６（ａ）は図５（ｂ）のＣ−Ｃ'断面の磁界を示している。
【００４３】
図６（ａ）（ｂ）では、色が薄い部分ほど磁界が強いことを示している。両図から理解されるように、スリットＳＬの周囲には、開口部ＯＰ及びスリットＳＬを設けない場合には存在しない強力な磁界が発生している。これは前述した渦電流Ｖ２によって生ずるもので、開口部ＯＰ及びスリットＳＬを設けた導電板１４ａを用いるとカップリング特性が向上するのは、この磁界が発生するためである。
【００４４】
次に、非接触型ＩＣカードとしての携帯電話１０とリーダ／ライタ２０との間で発生するカップリング効率のシミュレーション結果を示す。表１は、このシミュレーションで用いた３つのパターン（ａ）〜（ｃ）の導電板１４ａについて、各パラメータの具体的な値を示したものである。同表において、各パラメータの下に示す記号（ｍｍなど）は、各パラメータの単位を示している。この点は、後掲する各表でも同様である。３パターンのうちパターン（ａ）は、要するに導電板１４ａを用いない場合の例である。また、パターン（ｂ）は、導電板１４ａから開口部ＯＰ及びスリットＳＬを取り去った例である。
【００４５】
【表１】
2011249936.tif 000003
【００４６】
なお、このシミュレーション及び後掲の各シミュレーションにおいて、特に断らない限り、近接型アンテナ２１のサイズは１１０ｍｍ角とし、近接型アンテナ２１とアンテナ部１３間の距離は３０ｍｍとし、導電板１４ａの厚さは３５μｍとした。また、導電板１４ａの配置は、近接型アンテナ２１の中央点とアンテナパターン３１の内周の中央点とが平面的に見て一致するように決定した。
【００４７】
表２は、表１に示したパターンごとに、シミュレーションの結果を示したものである。この結果から理解されるように、スリットＳＬを有するパターン（ｃ）では、他のパターンに比べてカップリング効率が大幅に大きくなっている。したがって、非接触型ＩＣカードとしての携帯電話１０ａとリーダ／ライタ２０との間のカップリング特性が向上していると言える。
【００４８】
【表２】
2011249936.tif 000004
【００４９】
以上説明したように、導電板１４ａに開口部ＯＰ及びスリットＳＬを設けることで、非接触型ＩＣカードとしての携帯電話１０ａとリーダ／ライタ２０との間のカップリング特性が向上するが、その向上度合いは、スリットＳＬの幅ＷＳＬや導電板１４ａの材料などによって影響される。そこで以下では、これらの最適値について、シミュレーション結果を参照しながら説明する。
【００５０】
図７（ａ）〜（ｈ）は、スリットＳＬの幅ＷＳＬの最適値を示すためのシミュレーションに用いた導電板１４ａ及びアンテナパターン３１を示す図である。ただし、導電板１４ａについてはスリットＳＬ及び開口部ＯＰの付近のみを示し、アンテナパターン３１については外周と内周のみを模式的に表している。また、ここでは開口部ＯＰを正方形としている。同図に示すように、このシミュレーションでは、変化パラメータとしてスリットＳＬの幅ＷＳＬを用い、幅ＷＳＬの変化に対するカップリング効率の変化傾向を確認した。
【００５１】
表３に、ＷＳＬ及びその他のパラメータの具体的な値を示す。表中の（ａ）〜（ｈ）は図７（ａ）〜（ｈ）に対応している。
【００５２】
【表３】
2011249936.tif 000005
【００５３】
図８は、シミュレーションの結果を示す図である。図８では、横軸をパラメータＳ１／Ｓ２とし、縦軸をカップリング効率（ｄＢ）とした。パラメータＳ１はスリットＳＬのうち平面的に見てアンテナパターン３１と重複する部分の面積（＝ＷＳＬ×ＬＯＹ。図４のハッチング部分の面積）とし、パラメータＳ２はアンテナパターン３１の外形面積ＳＯＵＴＥＲ（＝ＬＯＸ×ＬＯＹ）とした。
【００５４】
図８に示すように、カップリング効率の最大値は約−２２ｄＢである。カップリング効率の値は、この最大値より２ｄＢ小さい−２４ｄＢ以上であることが好ましく、１ｄＢ小さい−２３ｄＢ以上であることがより好ましい。この観点で図８を見ると、カップリング効率の値は、Ｓ１／Ｓ２が概ね０．３５以上１．１以下である場合に−２４ｄＢを上回り、概ね０．４５以上０．９以下である場合に−２３ｄＢを上回っている。したがって、スリットＳＬのうち平面的に見てアンテナパターン３１と重複する部分の面積ＷＳＬ×ＬＯＹは、アンテナパターン３１の外形面積ＳＯＵＴＥＲの３５％以上１１０％以下とすることが好ましく、４５％以上９０％以下とすることが特に好ましいと言える。また、ＳＯＵＴＥＲ＝ＬＯＸ×ＬＯＹであることを考慮すると、スリットＳＬの幅ＷＳＬは、アンテナパターン３１の外周の横方向長さＬＯＸの３５％以上１１０％以下とすることが好ましく、４５％以上９０％以下とすることが特に好ましいと言える。
【００５５】
別の見方をすれば、スリットＳＬの幅ＷＳＬは、アンテナパターン３１の内周の横方向長さＬＩＸ以上、外周のスリット幅方向の長さＬＯＸ以下とすることが好ましいとも言える。図７では、（ｅ）〜（ｇ）がこの場合に相当する。こうすることで、渦電流Ｖ２から発生する磁界が効率よくアンテナパターン３１に取り込まれるようになり、カップリング効率が大きくなると考えられる。
【００５６】
次に、表４は、導電板１４ａの好ましい材料を示すためのシミュレーションにおいてシミュレートした導電板１４ａの材料、その導電率Ｃ１４ａ、及びその他のパラメータの具体的な値を示している。このシミュレーションでは、様々な材料によって構成された導電板１４ａを用い、各材料の導電率の違いに対するカップリング効率の変化傾向を確認した。
【００５７】
【表４】
2011249936.tif 000006
【００５８】
シミュレーションの結果（不図示）によれば、材料がＦｅである１点（導電率Ｃ１４ａ＝１．０３０×１０７Ｓ／ｍ）を除き、カップリング効率は、導電率Ｃ１４ａが高いほど大きくなり、導電率が１×１０７Ｓ／ｍ以上である場合に安定することが示される。一方、材料がＦｅである場合のカップリング効率は、ほぼ同じ導電率の他の材料を用いる場合に比べて大幅に低下することが理解される。これは、Ｆｅが強磁性体である（他の材料は常磁性体又は反磁性体）ことによるものであると考えられる。したがって、導電板１４ａとしては、常磁性又は反磁性で、かつ導電率Ｃ１４ａが１×１０７Ｓ／ｍ以上である材料を用いることが好ましいと言える。
【００５９】
以上、説明したように、非接触型ＩＣカードとしての携帯電話１０ａとリーダ／ライタ２０との間のカップリング特性は、スリットＳＬの幅ＷＳＬとアンテナパターン３１のサイズとの関係や、導電板１４ａの材料によって影響される。上述したようにしてこれらの具体的な値を選択すれば、最適なカップリング特性を得ることが可能になる。
【００６０】
図９（ａ）は、本発明の第２の実施の形態による近距離通信システムで用いる携帯電話１０ｂの斜視図である。また、図９（ｂ）は、図９（ａ）のＤ−Ｄ'線断面図である。本実施の形態による近距離通信システムは、携帯電話１０ａに代えて携帯電話１０ｂを用いる点で第１の実施の形態による近距離通信システム１と異なっており、その他の点は第１の実施の形態と同一である。携帯電話１０ｂは、導電板１４ａに代えて導電板１４ｂを有する点で、第１の実施の形態による携帯電話１０ａと異なっている。以下、第１の実施の形態との相違点を中心に、本実施の形態による携帯電話１０ｂの構成等について詳しく説明する。なお、以下の説明及び図面において、第１の実施の形態と同一の構成については、同一の符号を付している。
【００６１】
図９（ａ）（ｂ）に示すように、導電板１４ｂは、背面に加え、背面から幅ＷＢ分だけ筐体１４の各側面にも広がっている。言い換えれば、導電板１４ｂの端辺は、リーダ／ライタ２０（図１）から離れる方向に、曲げ幅ＷＢの分だけ曲がっている。スリットＳＬも側面に延伸して導電板１４ｂの端部まで設けられており、したがってリーダ／ライタ２０から離れる方向に曲がっている。
【００６２】
このように端辺を曲げた導電板１４ｂを用いることで、カップリング特性の指向性を広くすることが可能になる。以下、シミュレーション結果を参照しながら詳しく説明する。
【００６３】
図１０は、シミュレーションで用いる角度θについて説明するための説明図である。同図に示す携帯電話１０ｂの断面図は、図９（ｂ）に示した断面図を傾けたものである。実際の使用シーンでは、図１０に示すように、携帯電話１０ｂとリーダ／ライタ２０の近接型アンテナ２１とは、必ずしも平行とはならず、角度θ（≠０°）の傾きをもって配置されることになる。このシミュレーションでは、この角度θを変化パラメータとして用い、角度θの変化に対するカップリング効率の変化傾向を確認した。
【００６４】
本シミュレーションの目的は、端辺を曲げた導電板１４ｂを用いることの効果を示す点にある。そこで、曲げ幅ＷＢ＝０ｍｍ，３ｍｍのそれぞれについて、シミュレーションを行った。ＷＢ＝０ｍｍの導電板１４ｂは、要するに第１の実施の形態で示した導電板１４ａである。また、比較のために、導電板１４ｂが存在しない場合（導電板１４ｂに相当する部分を含む携帯電話１０ｂの筐体１４が、非導電性の材料によって構成されている場合）についても、併せてシミュレーションを行った。
【００６５】
表５は、本シミュレーションにおける各パラメータの具体的な値を示している。このシミュレーションでは、導電板１４ｂが存在しない場合のアンテナ部１３の携帯電話１０ｂ内での配置は、導電板１４ｂが存在する場合と同じ位置とした。また、近接型アンテナ２１に対する携帯電話１０ｂの配置を、近接型アンテナ２１の中央点とアンテナパターン３１の内周の中央点とが平面的に見て一致し、さらにこれらの最小距離Ｄ１（図１０を参照）が一定値となるように決定した。
【００６６】
【表５】
2011249936.tif 000007
【００６７】
シミュレーションの結果（不図示）によれば、曲げ幅ＷＢが３ｍｍである場合には、特に角度θが６０°以上である場合に、他の場合に比べて角度θの増大に対するカップリング効率の低下の度合いが小さくなることが示される。このことは、端辺を曲げた導電板１４ｂを用いることにより、カップリング特性の指向性が広くなっていることを示している。
【００６８】
以上説明したように、本実施の形態による近距離通信システムによれば、端辺を曲げた導電板１４ｂを有する携帯電話１０ｂを用いていることから、カップリング特性の指向性を広くすることが可能になっている。
【００６９】
図１１（ａ）は、本発明の第３の実施の形態による近距離通信システムのシステム構成を模式的に示す図である。本実施の形態による近距離通信システムは、磁性シート４０を用いる点で第１の実施の形態による近距離通信システム１と異なっており、その他の点は第１の実施の形態と同一である。以下、第１の実施の形態との相違点を中心に、詳しく説明する。なお、以下の説明及び図面において、第１の実施の形態と同一の構成については、同一の符号を付している。
【００７０】
図１１（ａ）に示すように、本実施の形態では、アンテナパターン３１を挟んで導電板１４ａの反対側に、磁性シート４０が配置される。磁性シート４０は、酸化鉄、酸化クロム、コバルト、フェライトなどの磁性体をシート状に形成してなる磁性部材であり、アンテナパターン３１の表面に絶縁性の糊（不図示）を介して貼付される。磁性シート４０は、アンテナパターン３１とほぼ同等かやや大きく、導電板１４ａよりも小さい。
【００７１】
図１１（ａ）に示す構成によれば、導電体１４ａから生ずる磁場のうちアンテナパターン３１方向に生ずるものが、アンテナパターン３１通過後に、磁性シート４０によってアンテナパターン３１方向に閉じ込められる。これにより、カップリング効率が改善される。
【００７２】
表６は、磁性シート４０の効果を示すためのシミュレーションに用いた近距離通信システム１の各パラメータを示している。磁性シート４０は、アンテナ部１３の基板３０と同じ大きさの７ｍｍ×７ｍｍの大きさとした。表７は、磁性シート４０を用いる場合と用いない場合のそれぞれについて、磁性シート４０以外の構成を同一にしてカップリング効率（ｄＢ）をシミュレートした結果の一例を示している。表７から明らかなように、磁性シート４０を用いることによってカップリング効率（ｄＢ）は改善している。
【００７３】
【表６】
2011249936.tif 000008
【００７４】
【表７】
2011249936.tif 000009
【００７５】
なお、第１の実施の形態で説明したように、アンテナパターン３１は携帯電話１０ａの筐体１４の外部、すなわち導電板１４ａのリーダ／ライタ２０側に配置してもよい。図１１（ｂ）は、この場合の磁性シート４０の配置例を示している。同図に示すように、この場合の磁性シート４０は、導電板１４ａを挟んでアンテナパターン３１の反対側に配置される。この場合、磁性シート４０は、導電板１４ａの表面に絶縁性の糊（不図示）を介して貼付される。
【００７６】
図１１（ｂ）に示す構成によれば、導電体１４ａから生ずる磁場のうちアンテナパターン３１とは逆方向に生ずるものが、磁性シート４０によってアンテナパターン３１方向に閉じ込められる。これにより、カップリング効率が改善される。
【００７７】
表８は、図１１（ｂ）の例において、磁性シート４０を用いる場合と用いない場合のそれぞれについて、磁性シート４０以外の構成を同一にしてカップリング効率（ｄＢ）をシミュレートした結果の一例を示している。このシミュレーションに用いた各パラメータは、表６に示したものと同様である。表８から明らかなように、図１１（ｂ）の例でも、磁性シート４０を用いることによってカップリング効率（ｄＢ）は改善している。
【００７８】
【表８】
2011249936.tif 000010
【００７９】
以上説明したように、本実施の形態による近距離通信システムによれば、磁性シート４０を用いていることから、磁性シート４０を用いない場合に比べ、カップリング効率（ｄＢ）を改善することが可能になっている。
【００８０】
なお、上記実施の形態では、リーダ／ライタ２０から最も遠い位置に磁性シート４０を配置したが、リーダ／ライタ２０から最も近い位置に磁性シート４０を配置してもよい。図１２（ａ）（ｂ）は、このような配置の具体例を示している。図１２（ａ）はアンテナパターン３１が導電板１４ａのリーダ／ライタ２０側に配置される場合の例であり、これによれば、図１５（ａ）の構成と同様、導電体１４ａから生ずる磁場のうちアンテナパターン３１方向に生ずるものが、アンテナパターン３１通過後に、磁性シート４０によってアンテナパターン３１方向に閉じ込められる。したがって、カップリング効率が改善される。また、図１２（ｂ）は導電板１４ａがアンテナパターン３１がリーダ／ライタ２０側に配置される場合の例であり、これによれば、図１５（ｂ）の構成と同様、導電体１４ａから生ずる磁場のうちアンテナパターン３１とは逆方向に生ずるものが、磁性シート４０によってアンテナパターン３１方向に閉じ込められる。したがって、カップリング効率が改善される。
【００８１】
以上、本発明の好ましい実施の形態について説明したが、本発明はこうした実施の形態に何等限定されるものではなく、本発明が、その要旨を逸脱しない範囲において、種々なる態様で実施され得ることは勿論である。
【００８２】
例えば、図１３（ａ）は、本発明の第１の実施の形態で示した携帯電話１０ａの第１の変形例を示す斜視図である。図１３（ｂ）は、図１３（ａ）のＥ−Ｅ'線断面図である。この変形例では、携帯電話１０ａがカメラを有していない。これに伴い、導電板１４ａは開口部ＯＰを有しておらず、スリットＳＬのみを有している。このようにしても、スリットＳＬが存在することによって上述した渦電流Ｖ２は流れるので、導電板１４ａによるカップリング特性の低下を抑制できる。
【００８３】
また、図１４（ａ）は、本発明の第１の実施の形態で示した携帯電話１０ａの第２の変形例を示す斜視図である。図１４（ｂ）は、図１４（ａ）のＦ−Ｆ'線断面図である。この変形例では、筐体１４はプラスチックなどの絶縁体であり、導電板１４ａは筐体１４の背面に嵌めこまれた金属板によって構成される。このようにしても、導電板１４ａを構成することが可能である。その他、導電板１４ａは、導電箔や導電板を貼り付けたり、印刷することによって作製してもよい。
【００８４】
また、上記各実施の形態ではスリットの例として一定幅の直線状のもののみを挙げたが、スリットＳＬは必ずしも一定幅の直線状でなければならないわけではない。例えば曲線状でもよいし、導電板の内側に向かって細くなる形状（台形状、楔状など）としてもよい。
【００８５】
また、上記各実施の形態では導電板１４ａとアンテナ部１３とが互いに絶縁されているとしたが、導電板１４ａがグランド層によって構成される場合には、接地端を介して導電板１４ａとアンテナ部１３とが電気的に接続されていてもよい。
【００８６】
また、上記各実施の形態では携帯電話に非接触ＩＣカードを搭載する例を挙げて説明したが、本発明は携帯電話のみに適用されるものではなく、無線通信機器を含む通信機器一般に広く適用可能である。
【符号の説明】
【００８７】
１      近距離通信システム
１０ａ，１０ｂ  携帯電話
１１    近接型アンテナ
１２    ＩＣチップ
１３    アンテナ部
１４    筐体
１４ａ，１４ｂ  導電板
１５    本体部
２０    リーダ／ライタ
２１    近接型アンテナ
３０    基板
３１    アンテナパターン
３１ａ，３１ｂ  両端部
４０    磁性シート
５１    キーパッド
５２    多層基板
５３    電池
５４    カメラ
ＯＰ    開口部
ＳＬ    スリット
【図１】
2011249936.tif 000011
【図２】
2011249936.tif 000012
【図３】
2011249936.tif 000013
【図４】
2011249936.tif 000014
【図５】
2011249936.tif 000015
【図６】
2011249936.tif 000016
【図７】
2011249936.tif 000017
【図８】
2011249936.tif 000018
【図９】
2011249936.tif 000019
【図１０】
2011249936.tif 000020
【図１１】
2011249936.tif 000021
【図１２】
2011249936.tif 000022
【図１３】
2011249936.tif 000023
【図１４】
2011249936.tif 000024